(57)【要約】      （修正有）【課題】鉛筆や水性ペンで絵柄や文字などを描くことができ、廃棄する際に環境への負荷が少なく、水受皿に要したコストを削減することができる園芸ポットを提供する。【解決手段】容器１と吸水材２とから成る。容器１は、ストーンペーパーから成る。容器１は、底部１１と側部１２とを有し、内部に水を貯めることができる。吸水材２は、塊状の珪藻土から成る。吸水材２は、容器１の底部１１および側部１２の内側下部に沿った形状を有している。吸水材２は、容器１の内部で底部１１に沿って収容されている。容器１は、側部１２の下部の吸水材２の高さの位置に、開口２１に連通する複数の空気穴１４を有している。容器１は、内面に吸水材２の上面周縁部に接するよう突出するフランジ部２３を有している。【選択図】図２
0003210271.tif 000002
【実用新案登録請求の範囲】
【請求項１】
ストーンペーパーから成る容器と、
前記容器の内部で前記容器の上端より低い位置に収容された珪藻土から成る吸水材とを、
有することを特徴とする園芸ポット。
【請求項２】
前記吸水材は側部に開口を形成した通気経路を有して前記容器の底部に沿って収容され、前記容器は前記開口に連通する空気穴を有することを、
特徴とする請求項１記載の園芸ポット。
【請求項３】
前記容器は内面に前記吸水材の上面周縁部に接するよう突出するフランジ部を有することを、
特徴とする請求項２記載の園芸ポット。
【考案の詳細な説明】
【技術分野】
【０００１】
本考案は、園芸ポットに関する。
【背景技術】
【０００２】
従来、ポリプロピレンやポリエチレン等の軟質合成樹脂からなる園芸ポットが知られている（例えば、特許文献１参照）。
【先行技術文献】
【特許文献】
【０００３】
【特許文献１】特開２００６−２４６７０７号公報
【考案の概要】
【考案が解決しようとする課題】
【０００４】
しかしながら、特許文献１の園芸ポットは、合成樹脂製のため、加工後に鉛筆や水性ペンでは絵柄や文字などを描きにくく、また、焼却されたとき化石燃料起源の二酸化炭素を発生して地球温暖化の原因となるという課題があった。また、底部の水抜孔から排出される水を受けるため、補助材として水受皿を必要とし、そのコストがかさむという課題があった。
【０００５】
本考案は、このような課題に着目してなされたもので、鉛筆や水性ペンで絵柄や文字などを描くことができ、廃棄する際に環境への負荷が少なく、水受皿に要したコストを削減することができる園芸ポットを提供することを目的とする。
【課題を解決するための手段】
【０００６】
上記目的を達成するために、本考案に係る園芸ポットは、ストーンペーパーから成る容器と、前記容器の内部で前記容器の上端より低い位置に収容された珪藻土から成る吸水材とを、有することを特徴とする。
【０００７】
本考案に係る園芸ポットは、珪藻土の上側に培養土を入れ、培養土に植物の種、苗などを植えて栽培に使用される。本考案に係る園芸ポットは、容器がストーンペーパーから成るため、鉛筆や水性ペンで絵柄や文字などを自由に描くことができる。ストーンペーパーから成る容器は紫外線により劣化分解し、珪藻土は土に戻せるため、廃棄する際に環境への負荷が少ない。吸水材は培養土の余分な水を吸収するため、容器から排水しなくても植物の根腐れを起こしにくくなっている。このため、容器の底部に水抜孔を設ける必要がなく、水受皿に要したコストを削減することができる。
前記容器は前記吸水材を覆う位置に空気穴を有することが好ましい。
【０００８】
前記吸水材は側部に開口を形成した通気経路を有して前記容器の底部に沿って収容され、前記容器は前記開口に連通する空気穴を有することが好ましい。
この場合、空気穴および通気経路を通して吸水材、培養土、植物の根へと空気を供給し、植物の生長を助けることができる。また、通気経路および空気穴を通して吸水材の余分な水分を蒸発により容器の外側へと排出することができる。
【０００９】
前記容器は内面に前記吸水材の上面周縁部に接するよう突出するフランジ部を有することが好ましい。
この場合、吸水材２の上側に培養土を入れたとき、培養土が容器の内面に沿って落ちて空気穴から外にこぼれ落ちるのを、フランジ部により防ぐことができる。
【考案の効果】
【００１０】
本考案によれば、鉛筆や水性ペンで絵柄や文字などを描くことができ、廃棄する際に環境への負荷が少なく、水受皿に要したコストを削減することができる園芸ポットを提供することができる。
【図面の簡単な説明】
【００１１】
【図１】本考案の実施の形態の園芸ポットを示す斜視図である。
【図２】図１に示す園芸ポットの縦断面図である。
【図３】図１に示す園芸ポットの平面図である。
【考案を実施するための形態】
【００１２】
以下、図面に基づき本考案の実施の形態について説明する。
図１〜図３は、本考案の実施の形態を示している。
図１〜図３に示すように、本考案の実施の形態の園芸ポットは、容器１と吸水材２とから成っている。容器１は、ストーンペーパーから成る。ストーンペーパーは、石灰石を主原料とする紙またはシートであり、耐水性があり、破れにくく、鉛筆や水性ペン、水性インクなどで絵柄や文字などを描きやすい特性を有している。容器１は、底部１１と側部１２とを有し、水漏れせずに内部に水を貯めることができる。図１では、容器１の形状として底部１１が円形の円錐台状のものを示しているが、容器１は、底部１１が四角形であってもよく、他の形状から成ってもよい。容器１は、上部に持ち手または吊下げ部材を掛けるための２対の吊下用穴１３を有している。
【００１３】
吸水材２は、塊状の珪藻土から成っている。珪藻土は、珪藻の殻の化石かる堆積岩であり、水分を大量に保持可能な特性を有している。吸水材２は、容器１の底部１１および側部１２の内側下部に沿った外面形状を有している。吸水材２は、側部に複数の開口２１を形成した通気経路２２を有している。
【００１４】
通気経路２２は、底面に沿って形成され、吸水材２の円筒面状の側部と同心円の環状部分と、その環状部分から各開口２１に放射状に伸びる直線部分とを有している。通気経路２２の形状は、他の形状であってもよい。吸水材２は、容器１の内部で底部１１に沿って収容されている。吸水材２の高さは、容器１の内部で吸水材２の上側に培養土Ａを入れることができれば、いかなる高さであってもよい。
【００１５】
容器１は、側部１２の下部の吸水材２の高さの位置に、開口２１に連通する複数の空気穴１４を有している。各空気穴１４は、等間隔で設けられている。容器１は、内面に吸水材２の上面周縁部に接するよう突出するフランジ部２３を有している。
【００１６】
次に、作用について説明する。
園芸ポットは、珪藻土の上側に培養土Ａを入れ、培養土Ａに植物の種、苗などを植えて栽培に使用される。栽培される植物は、花卉のほか、野菜、果樹、その他いかなる種類のものであってもよい。園芸ポットは、吊下用穴１３にフックなどを掛けて吊り下げることができる。園芸ポットは、容器１がストーンペーパーから成るため、鉛筆や水性ペンで絵柄や文字などを自由に描くことができる。容器１にパソコンのプリンタにより水性インクで印刷することもできる。例えば、容器１に「お母さんありがとう」の文字や「シクラメン」のように植物の名前の文字を書いたり、咲いたときの花の写真を印刷したりすることができる。
【００１７】
ストーンペーパーから成る容器１は屋外の太陽光の下では紫外線により通常８〜９ヶ月程度で劣化分解し、珪藻土は土に戻せるため、廃棄する際に環境への負荷が少ない。従来の１００％合成樹脂から成る園芸ポットに比べると、環境負荷を大幅に低減することができる。
【００１８】
吸水材２は培養土Ａの余分な水を吸収するため、容器１から排水しなくても植物の根腐れを起こしにくくなっている。このため、容器１の底部１１に水抜孔を設ける必要がなく、水受皿を必要としないため、水受皿に要したコストを削減することができる。
【００１９】
容器１は吸水材２を覆う位置に空気穴１４を有するので、空気穴１４および通気経路２２を通して吸水材２、培養土Ａ、植物の根へと空気を供給し、植物の生長を助けることができる。また、通気経路２２および空気穴１４を通して吸水材２の余分な水分を蒸発により容器１の外側へと排出することができる。
【００２０】
容器は、吸水材２の上側に培養土Ａを入れたとき、培養土Ａが容器１の内面に沿って落ちて空気穴１４から外にこぼれ落ちるのを、フランジ部２３により防ぐことができる。
【００２１】
園芸ポットの特性をまとめると、以下のとおりである。
（１）容器１に紙のように自由にメッセージを書いたり、絵柄や写真等を印刷したりすることができる。
（２）珪藻土により余分な水分を吸収することができるため、水受皿を必要としない。
（３）廃棄による環境負荷を低減することができる。
【００２２】
このように、園芸ポットは、ストーンペーパーと珪藻土とを組み合わせて成るため、環境に優しく、デザイン性に優れている。この園芸ポットは、低層階の住宅建築技術である、布基礎の理論を応用して考案されたもので、耐久性にも優れている。
【符号の説明】
【００２３】
Ａ  培養土
１  容器
２  吸水材
１１  底部
１２  側部
１３  吊下用穴
１４  空気穴
２１  開口
２２  通気経路
２３  フランジ部
【図１】
0003210271.tif 000003
【図２】
0003210271.tif 000004
【図３】
0003210271.tif 000005